(57)【要約】【課題】被写体方向に磁化された永久磁石を用いた、レンズホルダーを安定して駆動できるレンズ駆動装置を提供する。【解決手段】レンズ１１を保持するレンズホルダー１２と、レンズホルダー１２を被写体方向に可動自在に保持するケース１６と、永久磁石１３と、被写体側に配置される上側駆動用コイル１４Ａと、被写体とは反対側に配置される下側駆動用コイル１４Ｂとを備え、永久磁石１３とヨーク１５とをケース１６に保持し、上側及び下側駆動用コイル１４Ａ，１４Ｂをレンズホルダー１２の外周側に永久磁石１３と空隙を介して装着し、ヨーク１５のヨーク片を駆動用コイル１４Ａ，１４Ｂの径方向内側に配置するとともに、上側駆動用コイル１４Ａの中心を永久磁石１３の中心よりも上方に配置し、下側駆動用コイル１４Ｂの中心を永久磁石１３の中心よりも下方に配置した。【選択図】図１
2011164203.tif 000002
【特許請求の範囲】
【請求項１】
レンズを保持するレンズホルダーと、レンズホルダーを被写体方向に可動自在に保持するケースと、永久磁石と、駆動用コイルとを備えたレンズ駆動装置において、
被写体方向を上方としたときに、
前記永久磁石は上下方向に磁化され、
前記駆動用コイルはレンズホルダーの周方向に沿って巻回され、
前記駆動用コイルの中心が前記永久磁石の中心よりも上方もしくは下方に位置していることを特徴とするレンズ駆動装置。
【請求項２】
レンズを保持するレンズホルダーと、レンズホルダーを被写体方向に可動自在に保持するケースと、永久磁石と、駆動用コイルとを備えたレンズ駆動装置において、
被写体方向を上方としたときに、
前記永久磁石は上下方向に磁化され、
前記駆動用コイルは、レンズホルダーの周方向に沿って延長する互いに平行な平行部とレンズホルダーの軸方向に平行な方向に延長する互いに平行な垂直部とを有し、
前記駆動用コイルの上側の平行部の中心もしくは下側の平行部の中心が前記永久磁石の中心よりも上方もしくは下方に位置していることを特徴とするレンズ駆動装置。
【請求項３】
ヨークを備えるとともに、
前記永久磁石がケースに保持され、
前記駆動用コイルがレンズホルダーの外周側に永久磁石と空隙を介して装着され、
前記ヨークは前記ケースに保持され、かつ、前記駆動用コイルの永久磁石側とは反対側に、駆動用コイル及び前記レンズホルダーと空隙を介して配設されていることを特徴とする請求項１または請求項２に記載のレンズ駆動装置。
【請求項４】
ヨークを備えるとともに、
前記永久磁石がレンズホルダーの外周側に保持され、
前記駆動用コイルがケースに永久磁石と空隙を介して装着され、
前記ヨークは前記レンズホルダーに保持され、かつ、前記駆動用コイルの永久磁石側とは反対側に、駆動用コイル及び前記ケースと空隙を介して配設されていることを特徴とする請求項１または請求項２に記載のレンズ駆動装置。
【請求項５】
前記永久磁石の少なくとも一方の磁極面には補助ヨークが配設されていることを特徴とする請求項１〜請求項４のいずれかに記載のレンズ駆動装置。
【発明の詳細な説明】
【技術分野】
【０００１】
本発明は、携帯電話用のカメラモジュール等に用いられる、電磁駆動式のレンズ駆動装置に関するものである。
【背景技術】
【０００２】
近年、携帯電話等に搭載されるカメラはイメージセンサの画素数が増大されて撮影画像の高品質が進んでいる。これに伴って、搭載されるレンズ系についても、従来の固定焦点のカメラモジュールから可動焦点のカメラモジュールへと移行しつつある。これは、固定焦点のカメラモジュールでは、焦点ボケが生じて、高画素数イメージセンサの分解能に対応することができないためである。
可動焦点のカメラモジュールにおけるレンズ系の駆動方式としては、図１４に示すような、ボイスコイルモータを用いたレンズ駆動装置５０が多く用いられている（例えば、特許文献１参照）。
【０００３】
レンズ駆動装置５０は、軟鉄等の磁性体から成る断面がＵ字状のヨーク５１と、ヨーク５１の内壁側に取り付けられる永久磁石５２と、中央位置にレンズ５３を保持するレンズホルダー５４と、レンズホルダー５４に装着される駆動用コイル５５と、内周側にヨーク５１が装着されるケース５６と、レンズホルダー５４とケース５６とを連結する上下のバネ部材５７Ａ，５７Ｂとを備えている。
なお、同図の矢印で示す上下方向は、レンズ５３の光軸方向で、以下、図１４の上側である図示しない被写体側を上側、被写体側とは反対側を下側という。
【０００４】
バネ部材５７Ａ，５７Ｂは、曲げモーメントが加わっていない状態では平坦な板状であり、レンズホルダー５４とケース５６とに取り付けられた状態では、ケース５６側におけるバネ部材５７Ａ，５７Ｂの支点の位置が、レンズホルダー５４側におけるバネ部材５７Ａ，５７Ｂの支点の位置よりも下方に位置するような曲げモーメントが加えられて撓んだ状態となっている。これにより、バネ部材５７Ａ，５７Ｂの撓みによる復元力は、レンズホルダー５４をケース５６側（下方）に付勢するように作用する。すなわち、バネ部材５７Ａ，５７Ｂは、レンズホルダー５４側の支点とケース５６側の支点との間に、下方に付勢するようなオフセットを加えられた状態で組み付けられる。
【０００５】
永久磁石５２としては、図１５（ａ），（ｂ）に示すように、径方向に磁化された円弧柱状の磁石片５２Ｍをヨーク５１の内壁側に環状に配列したものが一般に用いられる。
駆動用コイル５５は、ヨーク５１と永久磁石５２とにより印加される、コイル周りに放射状に分布する磁界中に設置されている。したがって、駆動用コイル５５に通電すると、駆動用コイル５５には、被写体の方向（上方）へ向いたローレンツ力が発生するので、レンズホルダー５４を、ローレンツ力とバネ部材５７Ａ，５７Ｂの復元力との釣り合った位置に移動させることができる。
すなわち、駆動用コイル５５に通電する電流値を制御することにより、レンズホルダー５４の移動量を制御して、レンズ５３の位置を制御することができる。
【先行技術文献】
【特許文献】
【０００６】
【特許文献１】特開２００４−２８００３１号公報
【発明の概要】
【発明が解決しようとする課題】
【０００７】
ところで、従来のレンズ駆動装置に用いられる永久磁石としては、前記永久磁石５２のように断面が円弧状の磁石片５２Ｍを環状に配列したものの他に、三角形状などの多角形状の磁石片を環状に配列したものが用いられるが、コイル周りに放射状に分布する磁界を印加するためには、各磁石片に放射方向（円弧状であれば円弧面に垂直な方向）に着磁する必要がある。
しかしながら、複数の未着磁の磁石片５２Ｍをまとめて着磁しようとすると、図１６（ａ）に示すように、同図の矢印に示す着磁方向に整列された未着磁の磁石片５２Ｍ間には隙間ができるため、作業効率が悪いだけでなく、図１６（ｂ）に示すように、整列が悪い状態で着磁された磁石片５２Ｍは、着磁された方向（磁化方向）が同図の一点鎖線で示す放射方向からずれてしまう場合もあった。このように、永久磁石５２を構成する磁石片５２Ｍの中に磁化方向がずれた磁石片５２Ｍがあると、駆動力がばらついてしまうため、レンズホルダー５４を安定して駆動できないといった問題点があった。
【０００８】
本発明は、従来の問題点に鑑みてなされたもので、被写体方向に磁化された永久磁石を用いた、レンズホルダーを安定して駆動することのできるレンズ駆動装置を提供することを目的とする。
【課題を解決するための手段】
【０００９】
本願の請求項１に記載の発明は、レンズを保持するレンズホルダーと、レンズホルダーを被写体方向に可動自在に保持するケースと、永久磁石と、駆動用コイルとを備えたレンズ駆動装置であって、前記被写体方向を上方としたときに、前記永久磁石は上下方向に磁化され、前記駆動用コイルはレンズホルダーの周方向に沿って巻回され、前記駆動用コイルの中心が前記永久磁石の中心よりも上方もしくは下方に位置していることを特徴とする。
また、本願の請求項２に記載の発明は、前記永久磁石は上下方向に磁化され、前記駆動用コイルがレンズホルダーの周方向に沿って延長する互いに平行な平行部とレンズホルダーの軸方向に平行な方向に延長する互いに平行な垂直部とを有し、かつ、前記駆動用コイルの上側の平行部の中心もしくは下側の平行部の中心が前記永久磁石の中心よりも上方もしくは下方に位置していることを特徴とする。
【００１０】
このように駆動用コイルのレンズホルダーの周方向に沿って延長する部分の中心と永久磁石の中心とをずらす構成とすれば、永久磁石の磁化方向を上下方向としても、駆動用コイルに交差する磁束を十分に確保することができるので、レンズホルダーを被写体方向に効率良く移動させることができる。
また、上下方向に磁化された永久磁石は磁化方向が安定しているだけでなく、従来の径方向に磁化した永久磁石よりも大きな磁界を得られるので、装置のバラつきをなくすことができるとともに、レンズホルダーを効率良く移動させることができる。
更に、上下方向に磁化された永久磁石は、製造が容易でかつ設備も簡素化できるので安価である。したがって、レンズ駆動装置のコストを低減することができる。
【００１１】
請求項３に記載の発明は、請求項１または請求項２に記載のレンズ駆動装置において、ヨークを備えるとともに、前記永久磁石が前記ケースに保持され、前記駆動用コイルがレンズホルダーの外周側に永久磁石と空隙を介して装着され、前記ヨークは前記ケースに保持され、かつ、前記駆動用コイルの永久磁石側とは反対側に、駆動用コイル及び前記レンズホルダーと空隙を介して配設されていることを特徴とする。
このような構成を採ることにより、永久磁石からの磁界を有効に駆動用コイルに導くことができるので、レンズホルダーの駆動効率を向上させることができる。    
【００１２】
請求項４に記載の発明は、請求項１または請求項２に記載のレンズ駆動装置において、ヨークを備えるとともに、前記永久磁石が前記レンズホルダーの外周側に保持され、前記駆動用コイルがケースに永久磁石と空隙を介して装着され、前記ヨークは前記レンズホルダーに保持され、かつ、前記駆動用コイルの永久磁石側とは反対側に、駆動用コイル及び前記ケースと空隙を介して配設されていることを特徴とする。
このように、永久磁石をレンズホルダー側に配置し、駆動用コイルをケース側に配置しても、永久磁石からの磁界を有効に駆動用コイルに導くことができるので、レンズホルダーの駆動効率を向上させることができる。
請求項５に記載の発明は、請求項１〜請求項４のいずれかに記載のレンズ駆動装置において、前記永久磁石の少なくとも一方の磁極面に補助ヨークを配設したので、駆動用コイルに交差する磁束を更に増加させることができ、レンズホルダーの駆動効率が更に向上する。
【００１３】
なお、前記発明の概要は、本発明の必要な全ての特徴を列挙したものではなく、これらの特徴群のサブコンビネーションもまた、発明となり得る。
【図面の簡単な説明】
【００１４】
【図１】本発明の実施の形態１に係るレンズ駆動装置の構成を示す図である。
【図２】本実施の形態１に係るレンズ駆動装置の要部の分解斜視図である。
【図３】着磁時における永久磁石片の整列状態を示す図である。
【図４】駆動用コイルに印加される駆動用磁界の分布を示す図である。
【図５】磁石片及び永久磁石の他の形状を示す図である。
【図６】本実施の形態２に係るレンズ駆動装置の構成を示す図である。
【図７】本実施の形態２に係るレンズ駆動装置の要部の分解斜視図である。
【図８】本実施の形態２における駆動用磁界の分布を示す図である。
【図９】本実施の形態３に係るレンズ駆動装置の構成を示す図である。
【図１０】本実施の形態４に係るレンズ駆動装置の構成を示す図である。
【図１１】本実施の形態４における駆動用磁界の分布を示す図である。
【図１２】本発明によるレンズ駆動装置の他の構成を示す図である。
【図１３】駆動用コイルに印加される駆動用磁界の分布を示す図である。
【図１４】従来のレンズ駆動装置の構成を示す図である。
【図１５】従来のレンズ駆動装置に使用される永久磁石の一例を示す図である。
【図１６】従来の磁石片の着磁方法を示す図である。
【発明を実施するための形態】
【００１５】
以下、実施の形態を通じて本発明を詳説するが、以下の実施の形態は特許請求の範囲に係る発明を限定するものでなく、また、実施の形態の中で説明される特徴の組み合わせの全てが発明の解決手段に必須であるとは限らない。
【００１６】
実施の形態１．
図１は、本発明の実施の形態１に係るレンズ駆動装置１０の構成を示す図である。
レンズ駆動装置１０は、レンズホルダー１２と、永久磁石１３と、上側駆動用コイル１４Ａと、下側駆動用コイル１４Ｂと、ヨーク１５と、ケース１６と、上側バネ部材１７Ａと下側バネ部材１７Ｂとを備える。  
レンズホルダー１２は、図示しない対物レンズや接眼レンズの組み合わせから成るレンズ１１を保持するもので、図２に示すように、円筒状のホルダー本体１２ａとホルダー本体１２ａの外周側壁を切欠いて形成されたホルダー本体１２ａの軸方向に平行な複数の溝１２ｂとを備える。溝１２ｂを、以下、ヨーク挿入溝１２ｂという。また、ヨーク挿入溝１２ｂ間のホルダー本体１２ａから径方向外側に突出している柱状の部分を、以下、巻線部１２ｃという。なお、レンズホルダー１２は、図１に示すように、上側バネ部材１７Ａを支持する支持部１２ｄ及びスペーサ１２ｓを備えているが、レンズホルダー１２とヨーク１５との関係を分かりやすくするため、図２ではこれらを省略した。
【００１７】
永久磁石１３は、４枚の直角三角柱状の磁石片１３ｋを、それぞれの直角を成す辺の作る頂点が平面視正方形状になるように配列したもので、各磁石片１３ｋはケース１６の内壁の４隅にそれぞれ取り付けられる。
本例では、各磁石片１３ｋを着磁する際に、図３（ａ），（ｂ）に示すように、各磁石片１３ｋの上面と下面とを重ねて整列させた後、同図の白抜きの矢印で示す上面（または、下面）に垂直な方向に着磁することで、上面に垂直な方向に磁化された永久磁石１３を得ることができる。また、重ねられた磁石片１３ｋの間には隙間がないので、磁石片１３ｋを高密度に配列できるので、着磁作業を効率よく行うことができる。
このように、本例の永久磁石１３の磁石片１３ｋは、平行な面同士を重ね合わせて着磁することで得られるので磁化方向にムラがない。したがって、駆動磁界である永久磁石１３の発生する磁界が、永久磁石１３毎にばらつくことがない。
【００１８】
上側駆動用コイル１４Ａは、レンズホルダー１２の巻線部１２ｃの上部側にレンズホルダー１２の周方向に沿って巻き回されたコイルで、下側駆動用コイル１４Ｂは巻線部１２ｃの下部側にレンズホルダー１２の周方向に沿って巻き回されたコイルである。
図１に示すように、永久磁石１３と駆動用コイル１４Ａ，１４Ｂとは、レンズホルダー１２の径方向に空隙を隔てて配置されており、上側駆動用コイル１４Ａの下端は永久磁石１３の上端面よりもやや下方に位置し、上端は永久磁石１３の上端面よりも上方に位置している。すなわち、上側駆動用コイル１４Ａの中心は永久磁石１３の中心より上方に位置している。
一方、下側駆動用コイル１４Ｂの上端は永久磁石１３の下端面よりもやや上方に位置し、下端は永久磁石１３の下端面よりも下方に位置している。したがって、下側駆動用コイル１４Ｂの中心は永久磁石１３の中心より下方に位置していることになる。
【００１９】
ヨーク１５は、図２に示すように、複数個の円弧柱状のヨーク片１５ａとこれらのヨーク片１５ａの上端部を連結する円環状の連結リング１５ｂとを備える。ヨーク片１５ａと連結リング１５ｂとは一体に成形される。
各ヨーク片１５ａはレンズホルダー１２のヨーク挿入溝１２ｂに、レンズホルダー１２や駆動用コイル１４Ａ，１４Ｂに接触しないように挿入される。また、連結リング１５ｂはケース１６に保持される。なお、ヨーク１５の保持方法としては、例えば、ケース１６の上面にレンズホルダー１２側へ突出するヨーク保持部１６ｙを設け、このヨーク保持部１６ｙに連結リング１５ｂを取り付けるようにすればよい。
ケース１６は上面が開放された箱状の部材で、内壁１６ａの４隅には永久磁石１３の各磁石片１３ｋがそれぞれ取り付けられる。ケース１６の底面には、レンズホルダー１２の内径とほぼ等しい内径の開口１６ｂが形成されており、この開口からレンズホルダー１２に保持されるレンズ１１を通った光が図示しないイメージセンサに取り込まれる。なお、各磁石片１３ｋは全て上下方向に垂直な同一平面内にあることはいうまでもない。
【００２０】
バネ部材１７Ａ，１７Ｂは、例えば、リン青銅等から成る円板状のバネ部材に、円弧状の滑らかな曲線で囲まれた切り欠き溝を形成したものが用いられる。
バネ部材１７Ａ，１７Ｂは、曲げモーメントが加わっていない状態では平坦な板状であり、レンズホルダー１２とケース１６とに取り付けられた状態では、ケース１６側におけるバネ部材１７Ａ，１７Ｂの支点の位置が、レンズホルダー１２側におけるバネ部材１７Ａ，１７Ｂの支点の位置よりも下方に位置するような曲げモーメントが加えられて撓んだ状態となっている。バネ部材１７Ａ，１７Ｂの撓みによる復元力は、レンズホルダー１２をケース１６側に付勢する押圧力として作用する。したがって、バネ部材１７Ａ，１７Ｂは、レンズホルダー１２側の支点とケース１６側の支点との間に、下方に付勢するようなオフセットを加えられた状態で組み付けられる。
【００２１】
図４は、永久磁石１３により駆動用コイル１４Ａ，１４Ｂに印加される駆動用磁界の分布の一例を示す図である。
本例では、永久磁石１３とヨーク１５とをケース１６に保持し、駆動用コイル１４Ａ，１４Ｂをレンズホルダー１２の外周側に永久磁石１３と空隙を介して装着し、ケース１６に保持されるヨーク１５のヨーク片１５ａを駆動用コイル１４Ａ，１４Ｂの径方向内側に配置するとともに、上側駆動用コイル１４Ａの中心を永久磁石１３の中心よりも上方に配置し、下側駆動用コイル１４Ｂの中心を永久磁石１３の中心よりも下方に位置するように、永久磁石１３と駆動用コイル１４Ａ，１４Ｂとを配置している。これにより、永久磁石１３の磁化方向が上下方向であっても、駆動用コイル１４Ａ，１４Ｂには、駆動電流の方向にほほ直交する方向の磁界が作用する。したがって、駆動用コイル１４Ａ，１４Ｂに通電することで、駆動用コイル１４Ａ，１４Ｂに、被写体の方向（上方）へ向いたローレンツ力を発生させることができる。
また、同図に示すように、駆動用コイル１４Ａ，１４Ｂに交差する磁束を十分に確保することができるので、レンズホルダー１２を効率良く移動させることができる。
【００２２】
なお、ケース１６の形状が円筒状の場合には、図５（ａ）に示すように、各磁石片１３ｒを円弧柱状とするとともに、各磁石片１３ｒの上面と下面とを重ねて整列させた後に、柱状体の上面（または、下面）に垂直な方向に着磁すればよい。永久磁石１３が、直角三角形以外の多角柱状の磁石片を環状に配列したものである場合も同様である。
また、永久磁石１３の形状としては、例えば、図５（ｂ）に示すような、直方体状の磁石片１３ｎを環状に配列したものなどのように、ケース１６の形状や駆動用コイル１４Ａ，１４Ｂに印加する磁界の大きさなどにより適宜決定される。
【００２３】
実施の形態２．
図６は、本発明の実施の形態２に係るレンズ駆動装置２０の構成を示す図である。
このレンズ駆動装置２０は、実施の形態１のレンズ駆動装置１０の永久磁石１３の上，下の磁極面にそれぞれ補助ヨーク２１，２２を取り付けるとともに、レンズホルダー１２の径方向周りに巻回された複数の駆動用コイル２４を、レンズホルダー１２の外周面に取り付けたものである。なお、本例では、ケース１６の内面形状を正方形の４隅を面取りした形状とした。また、それに伴って、永久磁石１３を構成する磁石片１３ｋの内側の形状を円弧状とするとともに外側を面取りした形状としている。
なお、レンズ駆動装置２０の他の構成要素であるレンズホルダー１２、ヨーク１５、及び、バネ部材１７Ａ，１７Ｂについては、前記実施の形態１と同じであるので、説明を省略する。
【００２４】
補助ヨーク２１，２２は、いずれも、図７に示すように、中心に円形の孔２１ｈ，２２ｈが形成された正方形板状の部材で、ケース１６の内面形状に合わせて４隅が面取りしてある。補助ヨーク２１は永久磁石１３の上側に取り付けられ、補助ヨーク２２は永久磁石１３の下側に取り付けられる。
各駆動用コイル２４は、レンズホルダー１２の周方向に沿って延長する互いに平行な平行部２４ａ，２４ｂとレンズホルダー１２の軸方向に平行な方向に延長する互いに平行な垂直部２４ｃ、２４ｄとを有するコイルで、前記のように、レンズホルダーの径方向周りに巻回されている。
【００２５】
本例では、各駆動用コイル２４の中心位置と永久磁石１３の中心位置がほぼ一致するように、永久磁石１３と駆動用コイル２４とを配置している。
このように、永久磁石１３と駆動用コイル２４とを、各駆動用コイル２４の上側の平行部２４ａの中心が永久磁石１３の中心よりも上方に位置し、下側の平行部２４ｂの中心が永久磁石１３の中心よりも下方に位置するように配置すれば、永久磁石１３の磁化方向が上下方向であっても、図８（ａ）に示すように、駆動用コイル２４の平行部２４ａ，２４ｂには、駆動電流の方向にほほ直交する方向の磁界が作用するとともに、駆動用コイル２４に交差する磁束を十分に確保することができる。したがって、レンズホルダー１２を被写体方向に効率良く移動させることができる。
【００２６】
本例では、更に、永久磁石１３の上側と下側とにそれぞれ補助ヨーク２１，２２を配置している。永久磁石からの磁界は、空気よりも透磁率の高い補助ヨーク２１，２２に導かれる。補助ヨーク２１，２２内では磁界の上下方向の成分が大きくなる。その結果、図８（ａ）に示すように、補助ヨーク２１，２２から、駆動用コイル２４の平行部２４ａ，２４ｂを通って補助ヨーク２１，２２からヨーク１５に向かう磁界の成分が、図８（ｂ）に示す補助ヨーク２１，２２がない場合の磁界分布に比べて増加する。したがって、駆動用コイル２４の平行部２４ａ，２４ｂに発生するローレンツ力も増加するので、レンズホルダー１２の駆動効率を更に向上させることができる。
なお、前記実施の形態１においても、永久磁石１３の上側と下側とに補助ヨーク２１，２２を配置すれば、本実施の形態２と同様に、駆動用コイル１４Ａ，１４Ｂに直交する磁束の密度が増加するので、レンズホルダー１２の駆動効率を更に向上させることができる。
【００２７】
実施の形態３．
図９は、本発明の実施の形態３に係るレンズ駆動装置３０の構成を示す図である。
レンズ駆動装置３０と実施の形態１のレンズ駆動装置１０との相違点は、永久磁石１３がレンズホルダー１２の外周側に装着され、駆動用コイル１４Ａ，１４Ｂが、永久磁石１３と空隙を介してケース１６の内側に配設されていることと、ヨーク１５がレンズホルダー１２に保持され、かつ、駆動用コイル１４Ａ，１４Ｂの永久磁石１３側とは反対側に配設されていることで、他の構成は、実施の形態１と同じである。
なお、ヨーク１５の保持方法としては、例えば、レンズホルダー１２の外周面の上部にケース１６側へ突出するヨーク保持部１２ｙを設け、このヨーク保持部１２ｙに連結リング１５ｂを取り付けるようにすればよい。
また、本例では、実施の形態２と同様に、永久磁石１３の上側と下側とに補助ヨーク２１，２２を配置して、レンズホルダー１２の駆動効率を向上させるようにしている。
このように、永久磁石１３とヨーク１５とをレンズホルダー１２に保持し、駆動用コイル１４Ａ，１４Ｂをケース１６側に保持しても、永久磁石１３により駆動用コイル１４Ａ，１４Ｂに印加される駆動用磁界の分布は変わらないので、駆動用コイル１４Ａ，１４Ｂに交差する磁束を十分に確保することができ、レンズホルダー１２を効率良く移動させることができる。
なお、実施の形態２の永久磁石１３とヨーク１５とをレンズホルダー１２に保持し、駆動用コイル２４をケース１６に保持しても、同様の効果を得ることができる。
【００２８】
実施の形態４．
図１０は実施の形態４に係るレンズ駆動装置４０の構成を示す図である。
このレンズ駆動装置４０は、レンズ１１を保持するレンズホルダー１２と、上下方向に磁化された上側永久磁石４３Ａと、下側永久磁石４３Ｂと、補助ヨーク４１と、駆動用コイル４４と、ヨーク４５と、バネ部材１７Ａ，１７Ｂとを備える。なお、前記実施の形態１と同様に、永久磁石４３Ａ，４３Ｂとヨーク４５とはケース１６に保持され、駆動用コイル４４はレンズホルダー１２に装着される。
上側及び下側永久磁石４３Ａ，４３Ｂはともに上下方向に磁化されており、これら永久磁石４３Ａ，４３Ｂ間には補助ヨーク４１が配置されている。本例では、上側永久磁石４３Ａの下端面である補助ヨーク４１側の磁極と、下側永久磁石４３Ｂの上端面である補助ヨーク４１側の磁極とは同じ極性を有するように、上側及び下側永久磁石４３Ａ，４３Ｂを配置している。
【００２９】
駆動用コイル４４は、中心が補助ヨーク４１の中心とほほ同じ位置、すなわち、上側永久磁石４３Ａと下側永久磁石４３Ｂとの中間に配置される。
ヨーク４５は、水平片４５ａと垂直片４５ｂとを備える。
水平片４５ａは、上側永久磁石４３Ａ上端面からレンズホルダー１２側に延長し、駆動用コイル４４とレンズホルダー１２との間の空間において垂直片４５ｂに連結される。
垂直片４５ｂは、一端が駆動用コイル４４の上方で水平片４５ａのレンズホルダー１２側の端部の水平片４５ａに連結され、他端が駆動用コイル４４の下方まで延長している。
なお、レンズホルダー１２、ケース１６、及び、バネ部材１７Ａ，１７Ｂについては、前記実施の形態１と同じであるので、説明を省略する。
【００３０】
このように、駆動用コイル４４の中心は上側永久磁石４３Ａの中心よりも下方にあり、下側永久磁石４３Ｂの中心よりも上方にあるように、永久磁石４３Ａ，４３Ｂと駆動用コイル４４とを配置したので、図１１に示すように、永久磁石４３Ａ，４３Ｂの磁化方向が上下方向であっても、駆動用コイル４４には、駆動電流の方向にほぼ直交する方向の磁界が作用する。また、同図に示すように、駆動用コイル４４に交差する磁束を十分に確保することができるので、レンズホルダー１２を被写体方向に効率良く移動させることができる。
なお、補助ヨーク４１は必ずしも必要ではないが、補助ヨーク４１を設けることで、駆動用コイル４４に直交する磁束を増加させることができるので、本例のように、補助ヨーク４１を設けることが好ましい。
また、ヨーク４５に代えて、前記実施の形態１のヨーク１５を用いてもよい。
【００３１】
なお、前記実施の形態４では、補助ヨーク４１の径方向の厚さを、永久磁石４３Ａ，４３Ｂの径方向の厚さと同じとしたが、図１２に示すレンズ駆動装置４０Ｚのように、補助ヨーク４１Ｚの径方向の厚さを薄くするとともに、補助ヨーク４１Ｚの背面側（駆動用コイル１４とは反対側）に隙間を設ける構成とすれば、図１３に示すように、駆動用コイル４４に直交する方向の磁界の大きさを更に増加させることができる。
補助ヨーク４１Ｚの背面側に隙間があると、永久磁石４３Ａ，４３Ｂからの磁界は、透磁率の高い補助ヨーク４１側に集まるので、駆動用コイル４４方向に漏れだす磁束が増加する。したがって、駆動用コイル４４に交差する磁束を更に増加させることができ、レンズホルダー１２を被写体方向に効率良く移動させることができる。
なお、実施の形態２，３，４においても、補助ヨーク２１，２２の背面側に隙間を設けるようにすれば、駆動用コイル１４Ａ，１４Ｂ，２４に交差する磁束を更に増加させることができ、レンズホルダー１２を被写体方向に効率良く移動させることができる。
【００３２】
以上、本発明を実施の形態を用いて説明したが、本発明の技術的範囲は前記実施の形態に記載の範囲には限定されない。前記実施の形態に、多様な変更または改良を加えることが可能であることが当業者にも明らかである。そのような変更または改良を加えた形態も本発明の技術的範囲に含まれ得ることが、特許請求の範囲から明らかである。
【産業上の利用可能性】
【００３３】
以上説明したように、本発明によれば、永久磁石の磁化方向を上下方向としても、駆動用コイルに交差する磁束を十分に確保することができるので、レンズホルダーを安定して駆動できる安価なレンズ駆動装置を提供することができる。
【符号の説明】
【００３４】
１０，２０，３０，４０  レンズ駆動装置、
１１  レンズ、１２  レンズホルダー、１３  永久磁石、１４，２４  駆動用コイル、
１４Ａ  上側駆動用コイル、１４Ｂ  下側駆動用コイル、１５，４５  ヨーク、
１６  ケース、１７Ａ  上側バネ部材、１７Ｂ  下側バネ部材、
２１，２２，４１  補助ヨーク、４３Ａ  上側永久磁石、４３Ｂ  下側永久磁石。
【図１】
2011164203.tif 000003
【図２】
2011164203.tif 000004
【図３】
2011164203.tif 000005
【図４】
2011164203.tif 000006
【図５】
2011164203.tif 000007
【図６】
2011164203.tif 000008
【図７】
2011164203.tif 000009
【図８】
2011164203.tif 000010
【図９】
2011164203.tif 000011
【図１０】
2011164203.tif 000012
【図１１】
2011164203.tif 000013
【図１２】
2011164203.tif 000014
【図１３】
2011164203.tif 000015
【図１４】
2011164203.tif 000016
【図１５】
2011164203.tif 000017
【図１６】
2011164203.tif 000018